(57)【特許請求の範囲】
【請求項１】
上方に開口を有するとともに底部に止水弁をもち、水洗式便器を洗浄可能な洗浄水を内部に貯留する外槽と、該開口を閉じる蓋部材とを備えた便器洗浄タンクにおいて、
前記開口と前記蓋部材との間には内部を封止する封止手段が施され、前記外槽又は該蓋部材には前記洗浄水の排出時に吸気を行う吸気弁が設けられていることを特徴とする便器洗浄タンク。
【請求項２】
外槽はボールタップを固定可能な取付孔を両側に有し、吸気弁は該ボールタップが固定される該取付孔とは逆側の該取付孔に設けられていることを特徴とする請求項１記載の便器洗浄タンク。
【発明の詳細な説明】
【０００１】
【発明の属する技術分野】
本発明はロータンク等の便器洗浄タンクに関する。
【０００２】
【従来の技術】
従来、水洗式便器を洗浄する洗浄水を貯留する便器洗浄タンクが知られている。この便器洗浄タンクの一例であるロータンクは、図６に示すように、洗浄水を内部に貯留する外槽９１を備えており、この外槽９１は上方に開口９１ａを有するとともに底部に止水弁としてのフロート弁９２をもっている。また、開口９１ａは手洗鉢を一体とした蓋部材９３により閉じられるようになっている。外槽９１の上部の側面には取付孔９１ｂが貫設されており、取付孔９１ｂにはボールタップ９４が設けられている。なお、ボールタップ９４には、外槽９１の底部に延在する給水管９４ａと、給水管９４ａを開閉する図示しない弁体に接続されたアーム９４ｂとが設けられており、アーム９４ｂは外槽９１内の洗浄水によって浮上するフロート９４ｃに接続されている。また、外槽９１にはフロート弁９２を開閉するレバー９５が設けられている。
【０００３】
このロータンクでは、使用者がレバー９５を揺動することによりフロート弁９２を開放し、外槽９１内の洗浄水を水洗式便器に排出する。これにより水洗式便器の汚物を洗い流すことができる。その後、洗浄水の水位が低下することによりフロート９４ｃが下がり、アーム９４ｂが下方に移動する。これによりボールタップ９４の弁体が開放され、ボールタップ９４に接続された図示しない配管から水道水が給水管９４ａを通じて外槽９１内へ自動的に供給される。その後、洗浄水の水位が一定の高さまで上昇すると、ボールタップ９４の弁体が閉じ、水道水の供給が停止してロータンクはもとの待機状態へ復帰する。
【０００４】
【発明が解決しようとする課題】
しかし、上記従来のロータンクでは、外槽９１及び蓋部材９３が通常陶器製であることから寸法精度に劣るとともに、蓋部材９３が大重量であることから、その蓋部材９３は外槽９１の開口９１ａ上に単に載せられているだけである。このため、外槽９１と蓋部材９３との間には若干の隙間が存在し、洗浄水が外槽９１内に貯留される際、音がその隙間から外部に漏れ、使用者等に不快感を与えやすい。
【０００５】
この点、外槽９１と蓋部材９３との間の隙間をゴム製のパッキンやシール剤等の封止手段で完全に無くすことも考えられる。こうすれば、外槽９１内に貯留される洗浄水の音は外部に漏れず、使用者等に不快感を与えることもないと考えられる。
【０００６】
しかしながら、このような手段を講じた場合、洗浄水の排出時にロータンクの内部が負圧となることから、洗浄水が好適に水洗式便器に排出されにくくなってしまう。このため、汚物の洗浄能力が懸念される。上記不具合はロータンク以外の便器洗浄タンクにも存在する。
【０００７】
本発明は、上記従来の実情に鑑みてなされたものであり、音による不快感を使用者等に与えることなく、かつ水洗式便器の汚物の洗浄能力が高い便器洗浄タンクを提供することを解決すべき課題としている。
【０００８】
【課題を解決するための手段】
本発明の便器洗浄タンクは、上方に開口を有するとともに底部に止水弁をもち、水洗式便器を洗浄可能な洗浄水を内部に貯留する外槽と、該開口を閉じる蓋部材とを備えた便器洗浄タンクにおいて、
【０００９】
前記開口と前記蓋部材との間には内部を封止する封止手段が施され、前記外槽又は該蓋部材には前記洗浄水の排出時に吸気を行う吸気弁が設けられていることを特徴とする。
【００１０】
本発明の便器洗浄タンクでは、開口と蓋部材との間に封止手段が施され、この封止手段が内部を封止するため、洗浄水を貯留する時に発生する音が外部に漏れるのを防止することができる。このため、使用者等に不快感を与えることはない。
【００１１】
また、この便器洗浄タンクでは、外槽又は蓋部材に吸気弁が設けられており、この吸気弁が洗浄水の排出時に吸気を行うため、排出された洗浄水の体積とほぼ等しい体積の空気が吸気弁を通じて便器洗浄タンク内に流入する。このため、便器洗浄タンクの内部が負圧となることがなく、洗浄水が好適に水洗式便器に排出されやすい。このため、汚物の洗浄能力に優れる。
【００１２】
本発明の便器洗浄タンクでは、外槽はボールタップを固定可能な取付孔を両側に有し、吸気弁はボールタップが固定される取付孔とは逆側の取付孔に設けられていることが好ましい。こうであれば、便器洗浄タンク近くの配管の位置に応じてボールタップと吸気弁とを固定する取付孔を取り替えることができるため、施工の自由度が大きくなる。
【００１３】
蓋部材は、樹脂製の蓋本体と、この蓋本体に固定されるウェイトとからなることができる。こうであれば、蓋本体の製造が容易となって製造コストの低廉化を実現できる一方、蓋部材が大重量化して封止手段による封止効果が大きくなる。この場合、ウェイトは蓋本体から脱着可能であることが好ましい。こうであれば、蓋本体とウェイトとを別々に製造することができるとともに、工場内において蓋部材を容易に組付けることができるため、さらなる製造コストの低廉化を実現できる。他方、便器洗浄タンクの施工時に蓋部材を組付けるようにすることもでき、出荷前までのコストダウンを実現することができる。
【００１４】
【発明の実施の形態】
以下、本発明を具体化した実施形態を図面を参照しつつ説明する。
【００１５】
実施形態の便器洗浄タンクはキャビネットトイレのロータンクである。このキャビネットトイレは、図示しないキャビネットの前方に水洗式便器を有し、この水洗式便器に接続されたロータンクはそのキャビネット内に隠蔽されている。
【００１６】
このロータンクは、図１に示すように、洗浄水を内部に貯留する外槽１を備えており、この外槽１は上方に開口１ａを有するとともに底部に止水弁としてのフロート弁２をもっている。外槽１はブロー成形により成形されたポリエチレン製のものである。開口１ａは蓋部材３により閉じられるようになっている。
【００１７】
蓋部材３は、図２にも示すように、左右に取手３ｄが形成されたＡＢＳ製の蓋本体３ａと、この蓋本体３ａの表面側の中央にビス３ｃにより脱着可能に固定され、母材が鉄系材料であり、これにユニクロめっきを施したウェイト３ｂとからなる。蓋部材３における開口１ａと当接する部分には、図１に示すように、封止手段としてのゴム製のパッキン３ｅが設けられている。
【００１８】
また、外槽１の上部の両側面には同一形状の取付孔１ｂ、１ｃが貫設されており、一方の取付孔１ｂにはボールタップ４が固定され、他方の取付孔１ｃには吸気弁５が固定されている。
【００１９】
外槽１内には内槽６が固定されており、内槽６の底部には通水孔６ａが貫設されている。ボールタップ４には、外槽１の底部に延在する給水管４ａと、給水管４ａを開閉する図示しない弁体に接続されたアーム４ｂとが設けられており、アーム４ｂは内槽６内の洗浄水によって浮上するフロート４ｃに接続されている。また、外槽１にはフロート弁２を開閉する図示しないレバーが設けられている。
【００２０】
吸気弁５は、図３に示すように、合成樹脂製の筒部材５１と、図４に示すように、合成樹脂製の弁体５２とからなる。
【００２１】
筒部材５１は、図３に示すように、一方側の内筒部５１ａが四角筒状をなしており、図５に示すように、この内筒部５１ａが内側とされて吸気弁５が取り付けられることとなる。また、この筒部材５１は、図３に示すように、他方側の外筒部５１ｂが円筒状をなしており、図５に示すように、この外筒部５１ａが外側とされて吸気弁５が取り付けられることとなる。内筒部５１ａの一側面には互いに対面しつつ軸方向に延びる対を成すブラケット５１ｃが形成されており、各ブラケット５１ｃには断面略円形状の軸孔５１ｄが切り欠けられている。また、両ブラケット５１ｃが形成された一側面を上方に位置させた場合、内筒部５１ａの端面はやや上方に向かって傾斜している。この内筒部５１ａの端面には、各ブラケット５１ｃから最も遠い位置に半球状の凸部５１ｇが凸設されている。内筒部５１ａと外筒部５１ｂとの間にはフランジ５１ｅが形成されている。外筒部５１ｂの周面には雄ねじ５１ｆが形成されている。
【００２２】
他方、弁体５２は、図４に示すように、略四角形の薄板状をなしており、一辺側にはその一辺と平行に延びる軸部５２ａが形成されている。この軸部５２ａは上記両軸孔５１ｄにゆるく嵌合されるようになっている。
【００２３】
この吸気弁５は、以下のように外槽１の取付孔１ｃに取り付けられる。まず、図５に示すように、弁体５２をもつ筒部材５１を用意し、両ブラケット５１ｃが形成された一側面を上方に位置させつつ、その筒部材５１の外筒部５１ｂを外槽１の内方から外側に向けて嵌める。そして、この状態で、外槽１の外方に突出した外筒部５１ｂにゴム製の平パッキン５５及びワッシャ５３を嵌め、合成樹脂製のナット５４をその外筒部５１ｂに螺合する。
【００２４】
上記のように構成されたロータンクでは、内部の洗浄水を水洗式便器に排出しようとして内部の圧力が負圧傾向となれば、吸気弁５の弁体５２が外気圧により上方に揺動する。このため、筒部材５１が大気とロータンク内とを連通させ、排出された洗浄水の体積とほぼ等しい体積の空気が筒部材５１を通じてロータンク内に流入する。このため、ロータンクの内部が負圧となることがなく、洗浄水が好適に水洗式便器に排出され、ひいては優れた汚物の洗浄能力を発揮する。
【００２５】
そして、一定量の洗浄水が排出されれば、フロート弁２が着座し、洗浄水の排出が止水される。これにより、このロータンクでは、内部の圧力が負圧傾向とならなくなるため、吸気弁５の弁体５２が筒部材５１の端面に着座する。この後、内槽６内でフロート４ｃが下がり、アーム４ｂが下方に移動する。これによりボールタップ４の弁体が開放され、ボールタップ４に接続された図示しない配管から水道水が給水管４ａを通じて外槽１内へ自動的に供給される。
【００２６】
この際、このロータンクでは、蓋部材３がウェイト３ｂを有して大重量とされ、かつ蓋部材３における開口１ａと当接する部分にパッキン３ｅが設けられているため、洗浄水を貯留する時に発生する音が外部に漏れるのを防止することができる。このため、使用者等に不快感を与えることはない。なお、吸気弁５の弁体５２が凸部５１ｇによって筒部材５１との間に微小な隙間を確保しているため、ロータンク内の残余の空気はその隙間から外部に排出される。
【００２７】
その後、洗浄水の水位が一定の高さまで上昇すると、ボールタップ４の図示しない弁体が閉じ、水道水の供給が停止してロータンクはもとの待機状態へ復帰する。
【００２８】
また、このロータンクでは、外槽１がボールタップ４を固定可能な取付孔１ｂ、１ｃを両側に有し、吸気弁５はボールタップ４が固定される取付孔１ｂとは逆側の取付孔１ｃに設けられているため、近くの配管の位置に応じてボールタップ４と吸気弁５とを固定する取付孔１ｂ、１ｃを取り替えることができ、施工の自由度を大きくすることができる。
【００２９】
さらに、このロータンクでは、ウェイト３ｂが蓋本体３ａから脱着可能であるため、蓋本体３ａとウェイト３ｂとを別々に製造することができるとともに、工場内において蓋部材３を容易に組付けることができるため、さらなる製造コストの低廉化を実現できる。他方、ロータンクの施工時にユーザ等により蓋部材３を組付けてもらうようにすることもできることから、その場合には出荷前までのコストダウンを実現することができる。
【図面の簡単な説明】
【図１】実施形態のロータンクの断面図である。
【図２】蓋部材の平面図である。
【図３】吸気弁に係る筒部材の断面図である。
【図４】吸気弁に係る弁体の平面図である。
【図５】吸気弁等の断面図である。
【図６】従来のロータンクの断面図である
【符号の説明】
１ａ…開口
２…止水弁（フロート弁）
１…外槽
３…蓋部材
３ａ…蓋本体
３ｂ…ウェイト
３ｅ…封止手段（パッキン）
５…吸気弁
４…ボールタップ
１ｂ、１ｃ…取付孔
【図１】
0003775652.tif 000002
【図２】
0003775652.tif 000003
【図３】
0003775652.tif 000004
【図４】
0003775652.tif 000005
【図５】
0003775652.tif 000006
【図６】
0003775652.tif 000007